(57)【要約】【課題】本発明は、例えば複数のＬＥＤによる離散的光源列を用いて良好な表示品質が得られる面照明装置及びそれを備えた液晶表示装置を提供することを目的とする。【解決手段】複数のＬＥＤ７Ｒ、７Ｇ、７Ｂを入光面１２に沿って交互に離散的に配置したＬＥＤモジュール１５と、ＬＥＤモジュール１５端部の所定のＬＥＤ７Ｒに並列に接続され、当該ＬＥＤ７Ｒに供給される電流をバイパスさせるための色むら補正用抵抗４０とを有するように構成する。【選択図】図４
2010192448.tif 000002
【特許請求の範囲】
【請求項１】
面状に分布して光を射出する光射出領域と、
前記光射出領域に光を導光する導光領域と、
前記導光領域に光を入光する入光面と、
前記入光面端部から延設されて前記導光領域内の光を反射する反射面と、
前記反射面側端部に少なくとも１つの白色ＬＥＤを配置して、複数のＬＥＤが前記入光面に沿って交互に離散的に配置したＬＥＤモジュールと
を有することを特徴とする面照明装置。
【請求項２】
請求項１記載の面照明装置において、
前記白色ＬＥＤに並列に接続された輝度むら補正用抵抗と、
前記輝度むら補正用抵抗をスイッチングするスイッチと
を有することを特徴とする面照明装置。
【請求項３】
面状に分布して光を射出する光射出領域と、
前記光射出領域に光を導光する導光領域と、
前記導光領域に光を入光する入光面と、
前記入光面端部から延設されて前記導光領域内の光を反射する反射面と、
前記反射面側端部にイエロー、シアン、マゼンタの３色のＬＥＤが配置され、前記端部から４つ目以降に赤、緑、青のＬＥＤが前記入光面に沿って交互に離散的に配置されたＬＥＤモジュールと
を有することを特徴とする面照明装置。
【請求項４】
面状に分布して光を射出する光射出領域と、
前記光射出領域に光を導光する導光領域と、
前記導光領域に光を入光する入光面と、
前記入光面端部から延設されて前記導光領域内の光を反射する反射面と、
前記反射面側端部にイエロー、シアン、マゼンタの３色中の２色のＬＥＤが配置され、前記端部から３つ目には赤又は青の１色のＬＥＤが配置され、前記端部から４つ目以降に赤、緑、青のＬＥＤが前記入光面に沿って交互に離散的に配置されたＬＥＤモジュールと
を有することを特徴とする面照明装置。
【請求項５】
請求項３又は４に記載の面照明装置において、
前記反射面側端部の前記ＬＥＤに並列に接続された色むら補正用抵抗と、
前記色むら補正用抵抗をスイッチングするスイッチと
を有することを特徴とする面照明装置。
【請求項６】
面状に分布して光を射出する光射出領域と、
前記光射出領域に光を導光する導光領域と、
前記導光領域に光を入光する入光面と、
前記入光面端部から延設されて前記導光領域内の光を反射する反射面と、
複数のＬＥＤを前記入光面に沿って交互に離散的に配置したＬＥＤモジュールと、
前記光射出領域の四隅に配置された色むら補正用ＬＥＤと
を有することを特徴とする面照明装置。
【請求項７】
請求項６記載の面照明装置において、
前記色むら補正用ＬＥＤに並列に接続された補正用抵抗を有すること
を特徴とする面照明装置。
【請求項８】
対向配置された一対の基板間に封止された液晶を備えた液晶表示装置において、
請求項１乃至７のいずれか１項に記載された面照明装置を有すること
を特徴とする液晶表示装置。
【発明の詳細な説明】
【技術分野】
【０００１】
本発明は、離散的光源列を用いた面照明装置及びそれを備えた液晶表示装置に関する。
【背景技術】
【０００２】
液晶表示装置には液晶表示パネルの前面あるいは後面に面照明装置が設けられている。パネル後面に配置される面照明装置であるバックライトユニットとして、光を導光する導光板の端辺に光源が配置されたサイドライト（エッジライト）型と、液晶表示パネル直下に光源を配置した直下型とがある。光源には一般に冷陰極管が使われているが、近年では環境問題が重視されており、水銀を含んでいる冷陰極管を用いるのは好ましくない状況にある。そこで、冷陰極管に代わる光源として水銀レス蛍光管やＬＥＤ（発光ダイオード）等の種々の光源が開発されている。その中でもＬＥＤは次期光源として有望視されている。
【０００３】
サイドライト型バックライトユニットでＬＥＤを光源とする場合、白色ＬＥＤを複数配置する構成と、異なる発光色（例えば、Ｒ（赤）、Ｇ（緑）、Ｂ（青））の各単色ＬＥＤをセットにして複数セット配置する構成とが考えられている。白色ＬＥＤは黄色発光蛍光体と青色発光ＬＥＤを組み合わせたもので、発光色のばらつきは比較的少ない。一方、Ｒ、Ｇ、Ｂの各単色ＬＥＤを組み合わせて用いたバックライトユニットは、白色ＬＥＤでは実現不可能な広大な色再現性（例えばアドビ（ａｄｏｂｅ）−ＲＧＢ範囲）を実現できるという点で非常に注目されている。
【０００４】
離散的光源列からの発光色を混合するために、表示領域には使用しない導光領域を設けた方式（サブ導光板方式）が提案されているが（非特許文献１参照）、この方式は、ＬＥＤからサブ導光板への入光効率及びサブ導光板からメイン導光板への入光効率が低いため、全体として光の利用効率が非常に低いという問題を有している。光の利用効率が低いと投入電力を増やす必要が生じるため熱対策が必要となり、放熱フィンなどによる装置サイズの大型化を招いてしまうという問題もある。
【０００５】
これら問題を解決するため、導光板から拡散板までの間に発光色をよく混合するための所定厚さの空気領域を設けたバックライトユニットが提案されている。図３０は提案されたバックライトユニットで用いる導光板及びＬＥＤモジュールを模式的に示している。図３０に示すように、薄板状の導光板１１０の長方形の光射出面１１６の対向する長辺側の両側面（入光面）１１２Ｔ、１１２ＢにＬＥＤモジュール１１５が配置されている。ＬＥＤモジュール１１５からの光を効率よく利用するため、導光板１１０の短辺側の両側面は反射面１１３Ｌ、１１３Ｒになっている。
【０００６】
ＬＥＤモジュール１１５中の各色のＬＥＤ７７の数は、ホワイトバランスの設定によって決められる。通常各１個のＢ（青）色発光のＬＥＤ７７Ｂ及びＲ（赤）色発光のＬＥＤ７７Ｒ、Ｇ（緑）色発光のＬＥＤ７７Ｇと組み合わされて１セットとなる。各色のＬＥＤ７７を均等な間隔で配置することにより、個々のＬＥＤ７７の色が視認される入光面１１２からの距離が概ねどのＬＥＤ７７においても同等となる。
【０００７】
従ってＬＥＤモジュール１１５は、例えば反射面１１３Ｌ側端部で、反射面１１３Ｌ端部からＧ（緑）色発光のＬＥＤ７７Ｇと、Ｒ（赤）色発光のＬＥＤ７７Ｒと、Ｂ（青）色発光のＬＥＤ７７Ｂとがこの順に連設されたＬＥＤセット（以下、必要に応じ「ＧＲＢ」セットと記述する）１００を有している。ＬＥＤモジュール１１５は、「ＧＲＢ」セット１００を単位として、「ＧＲＢ」の幅を１ピッチとして導光板１１０の入光面１１２Ｔ、
１１２Ｂの左端から順に複数個並んで配置されている。
【０００８】
このような構成により、光射出面１１６内方の任意点では、任意点近傍のＧ色発光ＬＥＤ７７Ｇと、Ｒ色発光ＬＥＤ７７Ｒと、Ｂ色発光ＬＥＤ７７Ｂとからの３つの光が混ざり合って所望の色の光を作り出すことができる。
【０００９】
ところが、光射出面１１６の例えば左短辺側の反射面１１３Ｌの上部近傍の任意点には、入光面１１２Ｔ左端の「ＧＲＢ」セット１００からの直接光だけでなく、当該「ＧＲＢ」セット１００の光が反射面１１３Ｌで反射した鏡像の「ＢＲＧ」セット１０１の光も到達する。つまり、反射面１１３Ｌの上部近傍の任意点近傍には、図左方から順に「ＢＲＧＧＲＢ」の６個のＬＥＤの１セットが配置されているのと等価になり、そのうち、当該任意点に近い４個のＬＥＤセットの「ＲＧＧＲ」からの光が相対的に強く混ざり合うことになり「Ｂ」が全く存在しないことになる。このため、当該任意点では青色成分が不足した混合白色となってしまい、反射面１１３Ｌの上端部近傍に黄色い色むらが発生し易いという問題が生じている。この色むらは、同様のＬＥＤ配列をとる場合には反射面１１３Ｌの下端部や、右側の反射面１１３Ｒの上端部及び下端部にも生じてしまう。また、ＬＥＤセット１００を「ＧＲＢ」パターンから「ＧＢＲ」パターンにしても同様の問題が生じる。
【００１０】
この問題を回避するために、色むらが生じる部分を表示領域から外す方法があるが表示装置の額縁領域が少なくとも縦方向又は横方向に５ｃｍ程度拡大してしまうため好ましくない。また、大型のＬＥＤバックライトでは１００個以上のＬＥＤを用いるためＬＥＤの発光効率や発光波長のばらつきがあり、これらが額縁むらを生じる。
【先行技術文献】
【特許文献】
【００１１】
【特許文献１】特開２００３−２１５３４９号公報
【特許文献２】特開２００３−９５３９０号公報
【非特許文献】
【００１２】
【非特許文献１】日経エレクトロニクス、２００３年３月３１日、Ｎｏ．８４４、ｐ１２６〜１２７
【発明の概要】
【発明が解決しようとする課題】
【００１３】
本発明の目的は、離散的光源列を用いて良好な表示品質が得られる面照明装置及びそれを備えた液晶表示装置を提供することにある。
【課題を解決するための手段】
【００１４】
上記目的は、面状に分布して光を射出する光射出領域と、前記光射出領域に光を導光する導光領域と、前記導光領域に光を入光する入光面と、前記入光面端部から延設されて前記導光領域内の光を反射する反射面と、複数のＬＥＤを前記入光面に沿って交互に離散的に配置したＬＥＤモジュールと、所定の前記ＬＥＤに並列に接続された色むら補正用抵抗とを有することを特徴とする面照明装置によって達成される。
【発明の効果】
【００１５】
本発明によれば、離散的光源列を用いて良好な表示品質が得られる面照明装置及びそれを備えた液晶表示装置を実現できる。
【図面の簡単な説明】
【００１６】
【図１】本発明の一実施の形態による面照明装置としてのバックライトユニットを備えた液晶表示装置の概略構造を示す分解斜視図である。
【図２】本発明の一実施の形態の図１に示す液晶表示装置をＡ−Ａ線で切断したバックライトユニット６の主要構造を示す図である。
【図３】本発明の一実施の形態によるバックライトユニット６の導光板１１の光射出面１６とＬＥＤモジュール１５の配置関係を、光射出面１６の法線方向に見た状態で示す図である。
【図４】本発明の一実施の形態における実施例１によるＬＥＤモジュールの概略構成を示す図である。
【図５】本発明の一実施の形態における実施例２によるＬＥＤモジュールの概略構成を示す図である。
【図６】本発明の一実施の形態における実施例３によるＬＥＤモジュールの概略構成を示す図である。
【図７】本発明の一実施の形態における実施例４によるＬＥＤモジュールの概略構成を示す図である。
【図８】本発明の一実施の形態における実施例５によるＬＥＤモジュールの概略構成を示す図である。
【図９】本発明の一実施の形態における実施例６によるＬＥＤモジュールの概略構成を示す図である。
【図１０】本発明の一実施の形態における実施例７によるＬＥＤモジュールの概略構成を示す図である。
【図１１】本発明の一実施の形態における実施例８によるＬＥＤモジュールの概略構成を示す図である。
【図１２】本発明の一実施の形態における実施例９によるＬＥＤモジュールの概略構成を示す図である。
【図１３】本発明の一実施の形態における実施例１０によるＬＥＤモジュールの概略構成を示す図である。
【図１４】本発明の一実施の形態における実施例１１によるＬＥＤモジュールの概略構成を示す図である。
【図１５】本発明の一実施の形態における実施例１２によるＬＥＤモジュールの概略構成を示す図である。
【図１６】本発明の一実施の形態における実施例１３によるＬＥＤモジュールの概略構成を示す図である。
【図１７】本発明の一実施の形態における実施例１４によるＬＥＤモジュールの概略構成を示す図である。
【図１８】本発明の一実施の形態における実施例１５によるＬＥＤモジュールの概略構成を示す図である。
【図１９】本発明の一実施の形態における実施例１６によるＬＥＤモジュールの概略構成を示す図である。
【図２０】本発明の一実施の形態における実施例１７によるＬＥＤモジュールの概略構成を示す図である。
【図２１】本発明の一実施の形態における実施例１８によるＬＥＤモジュールの概略構成を示す図である。
【図２２】本発明の一実施の形態における実施例１９によるＬＥＤモジュールの概略構成を示す図である。
【図２３】本発明の一実施の形態における実施例２０によるＬＥＤモジュールの概略構成を示す図である。
【図２４】本発明の一実施の形態における実施例２１によるＬＥＤモジュールの概略構成を示す図である。
【図２５】本発明の一実施の形態における実施例２２によるＬＥＤモジュールの概略構成を示す図である。
【図２６】本発明の一実施の形態における実施例２３によるＬＥＤモジュールの概略構成を示す図である。
【図２７】本発明の一実施の形態における実施例２４によるＬＥＤモジュールの概略構成を示す図である。
【図２８】本発明の一実施の形態における実施例２５によるバックライトユニットの導光板１１の光射出面１６とＬＥＤモジュール１５の配置関係を、光射出面１６の法線方向に見た状態で示す図である。
【図２９】本発明の一実施の形態における実施例２６によるＬＥＤモジュール１５の概略構成を示す斜視図である。
【図３０】提案されたバックライトユニットで用いられる導光板及びＬＥＤモジュールを模式的に示す図である。
【発明を実施するための形態】
【００１７】
本発明の一実施の形態による離散的光源列を用いた面照明装置及びそれを備えた液晶表示装置について図１乃至図２９を用いて説明する。図１は、本実施の形態による面照明装置としてのバックライトユニットを備えた液晶表示装置の概略構造を示す分解斜視図である。図２は、図１に示す液晶表示装置をＡ−Ａ線で切断したバックライトユニット６の主要構造を示している。図１及び図２に示すように、本実施の形態による液晶表示装置１は、一対の基板間に液晶を封止した液晶表示パネル２（図２では不図示）と面照明装置であ
るバックライトユニット６とを有している。
【００１８】
バックライトユニット６は、例えば所定板厚の長方形の薄板状の透明部材で形成されている導光板１１を有している。導光板１１は、液晶表示パネル２に面する側に面状に分布して光を射出する光射出領域（以下、光射出面という）１６を有している。導光板１１の光射出面１６の対向面は光取り出し部として機能する散乱ドット２４が印刷された光散乱面となっている。導光板１１の光射出面１６に対向する光散乱面側には反射シート２２が配置されている。
【００１９】
導光板１１の光射出面１６とその対向面の光散乱面とで挟まれた領域が光射出面１６に光を導光するための導光領域である。また、光射出面１６及び光散乱面の外周を囲む４つの側面部のうち、対向する例えば長辺側の両側面が導光領域に光を入光する入光面１２になっている。対向する２つの入光面１２の両端をそれぞれ結んで延びる２つの側面は、導光領域内の光を反射させる反射面１３となっている。
【００２０】
導光板１１の入光面１２には離散的光源列を含むＬＥＤモジュール１５が配置されている。ＬＥＤモジュール１５は、例えば、異なる発光波長スペクトルの光を射出する複数種類のＬＥＤ７を入光面１２に沿って交互に離散的に配置して構成されている。ＬＥＤモジュール１５の周囲には、ＬＥＤモジュール１５からの光を導光板１１に効率良く入射させるためのリフレクタ（反射板）２０が配置されている。
【００２１】
導光板１１と液晶表示パネル２との間には、ＬＥＤモジュール１５からの光を効率よく混合するための所定厚さの気体空間部３０が設けられている。気体空間部３０と液晶表示パネル２との間には例えば厚さ２ｍｍ程度の透過型拡散板３やレンズシート４、５等の光学シート類が配置されている。
【００２２】
このように、バックライトユニット６は、反射シート２２、導光板１１、気体空間部３０及び光学シート類３、４、５とがこの順に重ねられた構成を有している。これらの構成材は、ハウジング６０によって固定されている。
【００２３】
次に、バックライトユニット６での光混合及び光射出動作について簡単に説明する。図２に示すように、ＬＥＤモジュール１５を射出して導光板１１の入光面１２から入光した光は導光領域内を導光して散乱ドット２４により散乱させられ、一部は光射出面１６から気体空間部３０に射出し、残部は反射シート２２で反射して再び導光板１１の導光領域に戻り再度散乱ドット２４で反射して最終的に光射出面１６から気体空間部３０に射出する。これらの射出光は、光射出面１６の面内方向に近く、光射出面１６の法線方向からの角度θの大きい方向に進む光として射出される。このため、光射出面１６から射出した光は液晶表示パネル２に直ちには入射せず、しばらく気体空間部３０内を進むことになる。これにより、入光面１６近傍で取り出されて他のＬＥＤ７からの光と混ざり合えていない状態の光は、気体空間部３０内を進む間に他の光と混ざり合ってパネル２の広範囲に渡って広がるため、色むらや輝度むらが視認されなくなる。すなわち、気体空間部３０は、バックライトユニット６の面内方向において、発光波長スペクトルが異なる光、又は異なる光量の光を混合して均一化する機能を有している。光学シート類３、４、５は、面内の同一点において、異なる角度で進む光を混合して角度的に配向し直すことにより、面内で照明光色と照明光量を均一にする機能を有している。
【００２４】
実際に導光板１１から射出する光は、光射出面１６の法線方向に対してかなり斜め方向（θ＝７０〜８０°）に射出する。そこで、ある射出点で導光板１１から射出した光を当該射出点から例えば５０ｍｍほど導光板の面内方向に進んだ位置で透過型拡散板５に入射させようとすると、気体空間部３０の厚さ（光射出面１６と透過型拡散板５との間の距離
）として９〜１８ｍｍが必要となる。本実施の形態では気体空間部３０の厚さは約１５ｍｍにしている。気体空間部３０中を５０ｍｍも進む間に光は拡散していくため、他の光と混色するほか垂直方向に近い光の光量自体も激減するため、色むらや輝度むらとして視認し難くなる。
【００２５】
図３は、本実施の形態によるバックライトユニット６の導光板１１の光射出面１６とＬＥＤモジュール１５の配置関係を、光射出面１６の法線方向に見た状態で示している。図３において、長方形の光射出面１６の長辺側の対向両側面が入光面１２Ｔ、１２Ｂであり、短辺側の対向両側面が反射面１３Ｒ、１３Ｌである。
【００２６】
導光板１１の入光面１２Ｔ、１２Ｂ左側端部近傍から入光面１２Ｔ、１２Ｂに沿って、Ｇ（緑）色発光ＬＥＤ７Ｇと、Ｒ（赤）色発光ＬＥＤ７Ｒと、Ｂ（青）色発光ＬＥＤ７Ｂとがほぼ等間隔でこの順に連設された３個一組のＬＥＤセット（以下、必要に応じ「ＧＲＢ」セットと記述する）１０が複数個並んで配置されている。
【００２７】
２つの入光面１２Ｔ、１２Ｂの両端から延びる反射面１３Ｌ、１３Ｒは、ＬＥＤモジュール１５からの光の正反射を効率よくするため鏡面に仕上げられている。なお、反射面１３Ｌ、１３Ｒの裏面側（反射面１３Ｌ、１３Ｒの外側）に反射シートを配設して反射面１３Ｌ、１３Ｒを通過した光を導光領域内に戻すようにしてもよい。ただし、これらの構成に限られる訳ではなく、反射面１３Ｌ、１３Ｒは、研磨面に反射膜を蒸着または貼付してもよいし、さらには反射面１３Ｌ、１３Ｒを鏡面研磨しない荒れた切削面状態にしておいても本実施の形態は適用可能である。
【００２８】
さて、このような構成のＬＥＤモジュール１５と、入光面１２Ｔ、１２Ｂの配置関係において、光射出面１６内方の任意点では、任意点近傍のＬＥＤ７Ｇ、ＬＥＤ７Ｒ、及びＬＥＤ７Ｂからの光が混ざり合って所望の色の光を作り出すことができる。
【００２９】
一方、入光面１２Ｔ左側端部上部近傍の任意点には、入光面１２Ｔ左端の「ＧＲＢ」セット１０からの直接光だけでなく、当該「ＧＲＢ」セット１０の光が反射面１３Ｌに写る鏡像の「ＢＲＧ」セット１０’からの光も到達する。これにより、当該任意点近傍には、反射面１３Ｌの右側から「ＧＲＢ」の光が到達し、反射面１３Ｌの左側からも「ＧＲＢ」の光が到達する。つまり、反射面１３Ｌの上部近傍の任意点近傍には、図左方から順に「ＢＲＧＧＲＢ」の６個のＬＥＤの１セットが配置されているのと等価になり、そのうち、当該任意点により近い４個のＬＥＤセットの「ＲＧＧＲ」からの光が相対的に強く混ざり合うことになり「Ｂ」が全く存在しないことになる。
【００３０】
そこで、当該任意点での青色成分の不足を相対的に解消するため、入光面１２Ｔ左端の「ＧＲＢ」セット１０のＬＥＤ７Ｒの光量が他のＬＥＤ７Ｒより少なくなるように制御する。ＬＥＤモジュール１５内の不図示のＬＥＤ駆動回路において、例えば、他のＬＥＤセット１０内のＬＥＤ７Ｒに流す電流より所定量だけ少ない電流を入光面１２Ｔ左端の「ＧＲＢ」セット１０のＬＥＤ７Ｒに流すことにより、他のＬＥＤ７Ｒより所定量だけ少ない光量の光を入光面１２Ｔ左端側のＬＥＤ７Ｒから射出させることができる。
【００３１】
これにより、赤色が強くなるのを抑制して色むらを防止してバランスの取れた白色光を得ることができ、反射面１３Ｌ上端部近傍の色むらを大幅に低減することができる。同様の構成により、反射面１３Ｌ下端部近傍及び反射面１３Ｒ上下端部近傍の色むらも大幅に低減することができる。
【００３２】
以下、色むらを低減できるＬＥＤモジュール１５の具体的構成について種々の実施例を用いて説明する。
（実施例１）
図４は本実施の形態の実施例１によるＬＥＤモジュール１５の概略構成を示している。図４（ａ）は、入光面１２Ｔ左端及びその隣の「ＧＲＢ」セット１０を例示的に示している。ＬＥＤモジュール１５内において、Ｇ（緑）色発光ＬＥＤ７Ｇ同士は直列接続されている。同様に、Ｒ（赤）色発光ＬＥＤ７Ｒ同士、Ｂ（青）色発光ＬＥＤ７Ｂ同士もそれぞれ直列接続されている。直列接続された各色のＬＥＤに電流を供給するＬＥＤドライバの図示は省略している。
【００３３】
ここで、入光面１２Ｔ左端の「ＧＲＢ」セット１０内のＬＥＤ７Ｒには色むら補正用の抵抗（色むら補正用抵抗）４０が並列に接続されている。色むら補正用抵抗４０は入光面１２Ｔ左端側のＬＥＤ７Ｒに対する電流バイパス用抵抗として機能する。色むら補正用抵抗４０の抵抗値を１０Ω（オーム）以下に設定すると入光面１２Ｔ左端側のＬＥＤ７Ｒにはほとんど電流が流れなくなるので、色むら補正用抵抗４０の抵抗値は１０Ω以上３０Ω以下程度が好ましい。
【００３４】
このように本実施例によれば、色むらや輝度むらの原因となるＬＥＤに並列に色むら補正用抵抗を接続する。これによりＬＥＤに本来流れていた電流がバイパスされ、当該ＬＥＤに流れる電流量を抑制して当該ＬＥＤの光量を絞ることができるので色むらや輝度むらを調整することができる。
【００３５】
図４（ｂ）は、図４（ａ）の変形例を示している。図４（ａ）に示す構成では、色むら補正用抵抗４０の抵抗値が低いため微細な色むら補正には不向きである。また、ＬＥＤの性能ばらつきの補正まで行うのは困難である。そこで、図４（ｂ）に示すように色むらや輝度むらの原因となるＬＥＤ（本例では入光面１２Ｔ左端側のＬＥＤ７Ｒ）に直列に第２の色むら補正用抵抗４２を接続し、色むら補正用抵抗４０との抵抗分割により当該ＬＥＤに流す電流値を正確に制御するようにしている。この構成によれば図４（ａ）に示す構成より高精度で色むらを補正することができる。
【００３６】
（実施例２）
図５は本実施の形態の実施例２によるＬＥＤモジュール１５の概略構成を示している。図５（ａ）は、入光面１２Ｔ左端及びその隣の「ＧＲＢ」セット１０を例示的に示している。なお、これ以降の実施例においてそれ以前に説明した構成と同一の作用効果を奏する構成については同一の符号を付してその説明は省略する。図５（ａ）に示す構成は、実施例１の色むら補正用抵抗４０に代えて可変抵抗器からなる色むら補正用抵抗４１を用いた点に特徴を有している。色むら補正用抵抗が実施例１のような固定抵抗ではＬＥＤの性能ばらつきまで含めて補正することは困難であるが、可変抵抗器に置き換えることによりＬＥＤ毎に個別に対応した補正を実現できる。
【００３７】
図５（ｂ）は、図５（ａ）の変形例を示している。色むらや輝度むらの原因となるＬＥＤに直列に第２の色むら補正用抵抗４２を接続し、色むら補正用抵抗４１との抵抗分割により当該ＬＥＤに流す電流値を正確に制御する構成である。
【００３８】
（実施例３）
図６は本実施の形態の実施例３によるＬＥＤモジュール１５の概略構成を示している。図６（ａ）は、入光面１２Ｔ左端（反射面１３Ｌ側端部）及びその隣の「ＧＲＢ」セット１０を例示的に示している。本実施例の構成は、電流バイパス用の色むら補正用抵抗４０、４１（図では４１を例示）側にスイッチ４３を設けている点に特徴を有している。ＬＥＤの光量を制御する必要がない場合には、スイッチ４３をオフにすることにより電流バイパス機能を遮断することができる。
【００３９】
図６（ｂ）は、図６（ａ）の変形例を示している。色むらや輝度むらは主に光射出面１６の四隅で発生する。このため、コスト面を考慮すれば光射出面１６の四隅の色むらを補正するだけでもよい。従って低コスト化を望む場合には、ＬＥＤモジュール１５端部３個のＬＥＤ中１個のＬＥＤに色むら補正用抵抗４０、４１を設ければよい。例えば入光面１２Ｔの反射面１３Ｌ側端部で、ｘｙ色度座標の色度ｘ値を調整したければ、赤色用ＬＥＤ７Ｒに色むら補正用抵抗を設け、色度ｙ値を調整したければ、緑色用ＬＥＤ７Ｇに色むら補正用抵抗を設ければよい。そこで、本変形例では、色度ｙ値を調整する場合として、色むらや輝度むらの原因となるＬＥＤ（例えば入光面１２Ｔ左端側のＬＥＤ７Ｇ）について、色むら補正用抵抗４１を並列に接続し、第２の色むら補正用抵抗４２を直列に接続し、さらに色むら補正用抵抗４１側にスイッチ４３を設けている例を示す。
【００４０】
（実施例４）
図７は本実施の形態の実施例４によるＬＥＤモジュール１５の概略構成を示している。図７（ａ）は、実施例３の図６（ａ）と（ｂ）の構成を組み合わせたものに類似しており、ＬＥＤモジュール１５の反射面１３側端部で、端部３個のＬＥＤ中２個のＬＥＤ７Ｇ、７Ｒに色むら補正用抵抗４１をそれぞれ設けた構成を示している。こうすることにより、色度ｘ値を調整したければ、赤色用ＬＥＤ７Ｒの色むら補正用抵抗４１の抵抗値を調整し、色度ｙ値を調整したければ、緑色用ＬＥＤ７Ｇの色むら補正用抵抗４１の抵抗値を調整すればよい。また、色むら補正が不要な場合には、各スイッチ４３をオフにすればよい。
【００４１】
図７（ｂ）は、図７（ａ）の変形例を示しており、ＬＥＤモジュール１５の反射面１３側端部で、端部３個のＬＥＤ中２個のＬＥＤ７Ｇ、７Ｂに色むら補正用抵抗４０、４１をそれぞれ設けた構成を示している。この場合にも図７（ａ）の構成と同様の色むら補正が可能である。
【００４２】
（実施例５）
図８は本実施の形態の実施例５によるＬＥＤモジュール１５の概略構成を示している。図８は、ＬＥＤモジュール１５の反射面１３Ｌ及び１３Ｒ側端部で、端部３個のＬＥＤ中３個（又は３の倍数個）のＬＥＤ７Ｇ、７Ｒ、７Ｂに色むら補正用抵抗４１をそれぞれ設けた構成を例示している。三原色のバランスを細かく補正しないと人間の目に色の均一性を認識させることはできないため、ＬＥＤモジュール１５両端各３個のＬＥＤ７に色むら補正用抵抗４１を設けている構成である。こうすることにより、精度の高い色むら補正をすることができる。直列接続された各色のＬＥＤ７にはＬＥＤドライバ５９からそれぞれ電流が供給されるようになっている。
【００４３】
（実施例６）
図９は本実施の形態の実施例６によるＬＥＤモジュール１５の概略構成を示している。図９は、実施例５の構成において、電流バイパス用の色むら補正用抵抗４１側にスイッチ４３を設けている点に特徴を有している。ＬＥＤの光量を制御する必要がない場合には、スイッチ４３をオフにすることにより電流バイパス機能を遮断することができる。これにより色むら補正不要時に電流バイパス機能によりＬＥＤが暗くなって輝度むらが生じてしまうことを防止できる。
【００４４】
（実施例７）
図１０は本実施の形態の実施例７によるＬＥＤモジュール１５の概略構成を示している。図１０は、ＬＥＤモジュール１５の反射面１３Ｌ及び１３Ｒ側端部で、例えば「Ｇ」を２個用いた「ＧＲＢＧ」の４個一組を最小単位配列とするＬＥＤセット１０を備えた構成に本実施形態を適用した例である。
【００４５】
三原色のＬＥＤ７Ｒ、７Ｇ、７Ｂを用いる場合には、ＬＥＤモジュール１５両端に黄色
成分を配置すると色むら補正が容易になるので、赤色又は緑色のＬＥＤ７Ｒ、７Ｇを両端に配置するのが好ましい。しかし赤色や緑色のＬＥＤ７Ｒ、７Ｇは輝度の個体ばらつきが大きいため、色むら補正用抵抗だけでは補正ばらつきも大きくなる。またＬＥＤ７は劣化ばらつきも大きいため、赤色や緑色の高輝度ＬＥＤ７Ｒ、７Ｇの影響による色むらが時間経過と共に生じる。そのため両端と同色のＬＥＤ７（図ではＬＥＤ７Ｇ）をＬＥＤモジュール１５両端から４つ目にそれぞれ配置し、２個のＬＥＤ７で色むら補正を行うことで、ＬＥＤ劣化による輝度ばらつきを軽減する構成としている。また、ＬＥＤモジュール１５両端から２つ目と５つ目のＬＥＤ７を同色にすることでも同様の効果が得られる。
【００４６】
（実施例８）
図１１は本実施の形態の実施例８によるＬＥＤモジュール１５の概略構成を示している。図１１は、実施例７の構成において、電流バイパス用の色むら補正用抵抗４１側にスイッチ４３を設けている点に特徴を有している。
【００４７】
（実施例９）
図１２は本実施の形態の実施例９によるＬＥＤモジュール１５の概略構成を示している。図１２は、ＬＥＤモジュール１５の反射面１３側端部４個の配列が端から「赤−緑−青−赤」であることを特徴としている。発明者らは、実施例８の図１１に示すように端から「緑−赤−青−緑」又は「緑−青−赤−緑」のＬＥＤ配置が最も色むらが小さくなる配列であることを見出しているが、次いで「赤−緑−青−赤」のＬＥＤ配列でも色むらを小さくできることを見出した。逆に、両端が青であると色むらは大きくなることも見出している。
【００４８】
（実施例１０）
図１３は本実施の形態の実施例１０によるＬＥＤモジュール１５の概略構成を示している。図１３は、実施例８のスイッチ４３をトランジスタ４３ａに置き換えたことを特徴としている。電気的コントロールの方が補正容易であるため、色むら補正用抵抗も電子抵抗に置き換えれば製造効率と調整精度が改善される。
【００４９】
（実施例１１）
図１４は本実施の形態の実施例１１によるＬＥＤモジュール１５の概略構成を示している。図１４はＬＥＤモジュール１５の両端各３個のＬＥＤ７Ｇ、７Ｒ、７Ｂのうち、反射面１３側端部の少なくとも１つのＬＥＤ（図ではＬＥＤ７Ｒ）を個別に駆動する構成である。ＬＥＤ７Ｇ及び７Ｂでは、それぞれ同色のＬＥＤは直列に接続されて駆動されるが、ＬＥＤ７Ｒについては、反射面１３側端部のＬＥＤ７Ｒはそれぞれ個別に駆動されるようになっている。ＬＥＤモジュール１５には通常４０以上のＬＥＤ７が実装されており３から４系統（緑２系統）の配線にて三色のＬＥＤ７Ｇ、７Ｒ、７Ｂを駆動している。本実施例は、両端各３個のうち少なくとも１個のＬＥＤ７をそれぞれ個別に電流駆動することで、電流値をコントロールして色むらを補正する構成である。
【００５０】
（実施例１２）
図１５は本実施の形態の実施例１２によるＬＥＤモジュール１５の概略構成を示している。図１５は実施例１１と同様の構成であり、ＬＥＤモジュール１５の両端４系統を個別に電流コントロールして色むらを補正するようになっている。さらに、実施例７と同様に、ＬＥＤ７の劣化ばらつきを考慮して、両端と同色のＬＥＤ７（図ではＬＥＤ７Ｇ）を端から４つ目に配置し、緑色に関し端部と４つ目の２個のＬＥＤ７Ｇでそれぞれ色むら補正をする構成である。また、ＬＥＤモジュール１５両端から２つ目と５つ目のＬＥＤ７を同色にすることでも同様の効果が得られる。
【００５１】
（実施例１３）
図１６は本実施の形態の実施例１３によるＬＥＤモジュール１５の概略構成を示している。図１６は実施例１２と同様であるが、緑色に関し端部と４つ目の２個のＬＥＤ７Ｇを直列に接続して個別駆動の数を減らした構成である。
【００５２】
（実施例１４）
図１７は本実施の形態の実施例１４によるＬＥＤモジュール１５の概略構成を示している。図１７はＬＥＤモジュール１５の両端に白色ＬＥＤ７Ｗを４個ずつ配置したことを特徴としている。色むらの発生しやすい四隅の分布を支配するＬＥＤ７を白色とし低コストで良質のＬＥＤバックライトユニット２を実現できる。両端それぞれ４個の白色ＬＥＤ７Ｗは、端部毎に直列に接続して電流コントロールで輝度を均一に保つようにする。
【００５３】
（実施例１５）
図１８は本実施の形態の実施例１５によるＬＥＤモジュール１５の概略構成を示している。図１８に示す構成は実施例１４の構成の変形例であって、ＬＥＤモジュール１５の反射面１３Ｌ及び１３Ｒ側端部で、端部４個のＬＥＤ７Ｗのそれぞれに色むら（この場合は輝度むら）補正用抵抗４１をそれぞれ設けた構成を例示している。
【００５４】
（実施例１６）
図１９は本実施の形態の実施例１６によるＬＥＤモジュール１５の概略構成を示している。ＬＥＤドライバ５９により白色ＬＥＤ７Ｗを個別に電流コントロールして輝度を補正する構成である。
【００５５】
（実施例１７）
図２０は本実施の形態の実施例１７によるＬＥＤモジュール１５の概略構成を示している。実施例７で説明したように、ＬＥＤモジュール１５の両端は黄色成分であることが望ましい。そのため本実施例ではＬＥＤモジュール１５の両端からイエローＬＥＤ７Ｙ、シアンＬＥＤ７Ｃ、マゼンタＬＥＤ７Ｍの順に配置し、端部から４つ目以降に赤、緑、青のＬＥＤ７Ｒ、７Ｇ、７Ｂが入光面１２に沿って交互に離散的に配置されている。
【００５６】
（実施例１８）
図２１は本実施の形態の実施例１８によるＬＥＤモジュール１５の概略構成を示している。本実施例では、反射面１３側端部にイエロー、シアン、マゼンタの３色中の２色のＬＥＤ７が配置され、反射面１３側端部から３つ目には赤又は青の１色のＬＥＤ７が配置され、反射面１３側端部から４つ目以降に赤、緑、青のＬＥＤが入光面１２に沿って交互に離散的に配置された構成を特徴とする。例えば図２１に示す構成では、イエロー、シアン、マゼンタから２色（イエローとシアン）を選択し、さらに三原色から１色（赤か青）を選択している。イエローは赤と緑の中間色で、シアンは緑と青の中間色であり、両端にイエローとシアンを配色すると、赤成分か青成分が不足するため、三色目は不足色の赤か青を選択する。三色目はＬＥＤの成分強度による。
【００５７】
（実施例１９）
図２２は本実施の形態の実施例１９によるＬＥＤモジュール１５の概略構成を示している。図２２に示す構成は実施例１７の構成の変形例であって、ＬＥＤモジュール１５の反射面１３Ｌ及び１３Ｒ側端部で、端部３個のＬＥＤ７Ｙ、７Ｃ、７Ｍのそれぞれに色むら補正用抵抗４１及びスイッチ４３をそれぞれ設けた構成を例示している。
【００５８】
（実施例２０）
図２３は本実施の形態の実施例２０によるＬＥＤモジュール１５の概略構成を示している。ＬＥＤドライバ５９によりイエロー、シアン、マゼンタから２色のＬＥＤ７（図ではイエローのＬＥＤ７ＹとシアンのＬＥＤ７Ｃ）を選択し、それらは同一制御し、三原色Ｌ
ＥＤ７Ｒ、７Ｇ、７Ｂは同色毎に制御する構成である。
【００５９】
（実施例２１）
図２４は本実施の形態の実施例２１によるＬＥＤモジュール１５の概略構成を示している。実施例１７の図２０に示すＬＥＤ構成において、ＬＥＤドライバ５９によりイエロー、シアン、マゼンタの３色のＬＥＤ７Ｙ、７Ｃ、７Ｍをそれぞれ個別に電流コントロールして輝度と色度を補正する構成である。
【００６０】
（実施例２２）
図２５は本実施の形態の実施例２２によるＬＥＤモジュール１５の概略構成を示している。実施例１８の図２１に示すＬＥＤ構成において、ＬＥＤドライバ５９によりイエローＬＥＤ７Ｙ、シアンＬＥＤ７Ｃ、赤又は青ＬＥＤ７Ｒ又は７Ｂをそれぞれ個別に電流コントロールして輝度と色度を補正する構成である。
【００６１】
（実施例２３）
図２６は本実施の形態の実施例２３によるＬＥＤモジュールの概略構成を示している。図２６（ａ）は、本実施例によるバックライトユニットの導光板１１の光射出面１６とＬＥＤモジュール１５の配置関係を、光射出面１６の法線方向に見た状態で示している。図２６（ａ）において、長方形の光射出面１６の短辺側の対向両側面が入光面１２Ｔ、１２Ｂであり、長辺側の対向両側面が反射面１３Ｒ、１３Ｌである。図２６（ｂ）は、本実施例によるＬＥＤモジュール１５、１５Ｒ、１５Ｌの概略構成を示している。ＬＥＤモジュール１５Ｒ、１５Ｌの各ＬＥＤ８はＬＥＤドライバ５９により個別に駆動されるようになっている。
【００６２】
導光板１１の入光面１２Ｔ、１２Ｂ上側端部近傍から入光面１２Ｔ、１２Ｂに沿って、Ｇ（緑）色発光ＬＥＤ７Ｇと、Ｒ（赤）色発光ＬＥＤ７Ｒと、Ｂ（青）色発光ＬＥＤ７Ｂとがほぼ等間隔でこの順に連設されたＬＥＤ７が複数個並んで配置されている。
一方、導光板１１の入光面１２Ｔ、１２Ｂ下側端部近傍から入光面１２Ｔ、１２Ｂに沿って、Ｇ（緑）色発光ＬＥＤ７Ｇと、Ｂ（青）色発光ＬＥＤ７Ｂと、Ｒ（赤）色発光ＬＥＤ７Ｒとがほぼ等間隔でこの順に連設されたＬＥＤ７が複数個並んで配置されている。
【００６３】
反射面１３Ｒ側には反射面１３Ｒ両端部にそれぞれＢ（青）色発光ＬＥＤ８Ｂが配置されたＬＥＤモジュール１５Ｒが配置されている。反射面１３Ｌ側には反射面１３Ｌ両端部にそれぞれＲ（赤）色発光ＬＥＤ８Ｒが配置されたＬＥＤモジュール１５Ｌが配置されている。ＬＥＤ８Ｒ及びＬＥＤ８Ｂは光射出面１６の四隅に配置された色むら補正用ＬＥＤとして機能するようになっている。
【００６４】
図３を用いて既に説明したように、図２６（ａ）のＬＥＤモジュール１５の構成においても、反射面１３Ｌのミラー効果により、光射出面１６の下二隅では赤が不足する。一方、反射面１３Ｒのミラー効果により、光射出面１６の上二隅では青が不足する。その不足色のＬＥＤを色むら補正用ＬＥＤとして配置することで、色むらを補正することができる。実施例２２までは、ＬＥＤに流れる電流を減らし多い成分輝度を落とす考えであったが、実施例２３は不足色を補うため、周辺光量比をも補える理想的な補正方法である。
【００６５】
（実施例２４）
図２７は本実施の形態の実施例２４によるＬＥＤモジュールの概略構成を示している。図２７は、実施例２３の図２６に示す色むら補正用ＬＥＤ８Ｒ、８Ｂにそれぞれ並列に補正用抵抗４１ａを接続した構成を示している。
【００６６】
（実施例２５）
図２８は、実施例２５によるバックライトユニットの導光板１１の光射出面１６とＬＥＤモジュール１５の配置関係を、光射出面１６の法線方向に見た状態で示している。図２８に示す構成は、図２６（ａ）に示す構成に加えて、実施例２３及び２４での制御用に光射出面１６四隅にそれぞれカラーセンサ５０を配置してマイクロコンピュータ（不図示）で制御する方式である。光射出面１６四隅の色むら発生個所裏面（導光板裏面）にカラーセンサ５０を配置して輝度と色度情報をマイクロコンピュータに送り予め設定してある目標色度及び輝度に電流値もしくは電子抵抗値をコントロールして補正する。優先順位は色度補正とする。もしくは、目標とする色度輝度は、中央にあるカラーセンサの出力を基準としてもよい。
【００６７】
（実施例２６）
図２９は本実施の形態の実施例２６によるＬＥＤモジュール１５の概略構成を示す斜視図である。可変抵抗器からなる色むら（輝度むら）補正用抵抗４１として機械式を選択した場合、ＬＥＤモジュール１５端に色むら（輝度むら）補正用抵抗４１を実装し、モールド筐体もしくは板金筐体に調整穴を設け、製造時に抵抗値の増減にて、ＬＥＤモジュール１５両端のＬＥＤ７の電流値を調整して色度を補正する。
【００６８】
以上説明したように本実施の形態によれば、色むらや輝度むらの原因となるＬＥＤの光量を制御したり補助的なＬＥＤを付加したりして、ＬＥＤの数が少なく安価なエッジ式ＬＥＤバックライト方式で発生する表示領域四隅の色むらを低減することができる。
【００６９】
本発明は上記実施の形態に限らず種々の変形が可能である。
上記実施の形態では、導光板１１の両サイドにＬＥＤモジュール１５を配置したが、これに限らず、片側だけにＬＥＤモジュール１５を配置してもよい。また、断面が楔形の導光板のような場合には当然片側のみにＬＥＤモジュール１５を配置してよい。
【００７０】
また、上記実施の形態では、平行平板型の１枚の導光板に発明を適用したが、本発明はこれに限らず、サイドライト型であれば、導光板が２枚重ね合わされた構造の導平面２段型を始め他のあらゆる構造のバックライトユニットに適用可能である。さらに、バックライトユニットに限らずフロントライトユニットにも本発明は適用可能である。
【００７１】
また、上記実施の形態では透明部材で形成された導光板１１を導光領域に用いているが、本発明はこれに限られない。例えば導光領域側面部に反射部材が取り付けられていれば導光領域が中空の空気層であってももちろんよい。
【００７２】
上記実施の形態は、光源としてＬＥＤを用いたが本発明はこれに限られず、離散的光源列を構成し得るものであればいかなる発光体も用いることができる。また、上記実施例に記載の面照明装置において、ＬＥＤの色配置は両端から順に同じ色である鏡対称であってもよい。
【００７３】
以上説明した本実施の形態による面照明装置及びそれを備えた液晶表示装置は、以下のようにまとめられる。
（付記１）
面状に分布して光を射出する光射出領域と、
前記光射出領域に光を導光する導光領域と、
前記導光領域に光を入光する入光面と、
前記入光面端部から延設されて前記導光領域内の光を反射する反射面と、
複数のＬＥＤを前記入光面に沿って交互に離散的に配置したＬＥＤモジュールと、
所定の前記ＬＥＤに並列に接続された色むら補正用抵抗と
を有することを特徴とする面照明装置。
（付記２）
付記１記載の面照明装置において、
前記色むら補正用抵抗は、可変抵抗器であること
を特徴とする面照明装置。
（付記３）
付記１又は２に記載の面照明装置において、
前記色むら補正用抵抗に直列にスイッチが設けられていること
を特徴とする面照明装置。
（付記４）
付記１乃至３のいずれか１項に記載の面照明装置において、
前記所定のＬＥＤに直列に接続された第２の色むら補正用抵抗を有すること
を特徴とする面照明装置。
（付記５）
付記１乃至４のいずれか１項に記載の面照明装置において、
前記所定のＬＥＤは、前記ＬＥＤモジュールの前記反射面側端部に配置された３個のうちの少なくとも１つであること
を特徴とする面照明装置。
（付記６）
付記１乃至４のいずれか１項に記載の面照明装置において、
前記所定のＬＥＤは、前記ＬＥＤモジュールの前記反射面側端部に配置された３個のうちの２つであること
を特徴とする面照明装置。
（付記７）
付記１乃至４のいずれか１項に記載の面照明装置において、
前記所定のＬＥＤは、前記ＬＥＤモジュールの前記反射面側端部に配置された３個又は３の倍数個であること
を特徴とする面照明装置。
（付記８）
付記１乃至７のいずれか１項に記載の面照明装置において、
前記ＬＥＤは、分光特性が異なること
を特徴とする面照明装置。
（付記９）
付記１乃至４のいずれか１項に記載の面照明装置において、
前記所定のＬＥＤは、前記ＬＥＤモジュールの前記反射面側端部に配置された、３種類の分光特性を有する４個又は４の倍数個であること
を特徴とする面照明装置。
（付記１０）
付記１乃至４のいずれか１項に記載の面照明装置において、
前記所定のＬＥＤは、前記ＬＥＤモジュールの前記反射面側端部に配置された、４種類の分光特性を有する４個又は４の倍数個であること
を特徴とする面照明装置。
（付記１１）
面状に分布して光を射出する光射出領域と、
前記光射出領域に光を導光する導光領域と、
前記導光領域に光を入光する入光面と、
前記入光面端部から延設されて前記導光領域内の光を反射する反射面と、
複数のＬＥＤを前記入光面に沿って交互に離散的に配置し、前記反射面側端部の少なくとも１つの前記ＬＥＤを個別に駆動するＬＥＤモジュールと
を有することを特徴とする面照明装置。
（付記１２）
付記１乃至１１のいずれか１項に記載の面照明装置において、
前記ＬＥＤは、前記ＬＥＤモジュールの前記反射面側端部４個の配列が端から緑−赤−青−緑の順であること
を特徴とする面照明装置。
（付記１３）
付記１乃至１１のいずれか１項に記載の面照明装置において、
前記ＬＥＤは、前記ＬＥＤモジュールの前記反射面側端部４個の配列が端から緑−青−赤−緑の順であること
を特徴とする面照明装置。
（付記１４）
面状に分布して光を射出する光射出領域と、
前記光射出領域に光を導光する導光領域と、
前記導光領域に光を入光する入光面と、
前記入光面端部から延設されて前記導光領域内の光を反射する反射面と、
前記反射面側端部に少なくとも１つの白色ＬＥＤを配置して、複数のＬＥＤが前記入光面に沿って交互に離散的に配置したＬＥＤモジュールと
を有することを特徴とする面照明装置。
（付記１５）
付記１４記載の面照明装置において、
前記白色ＬＥＤに並列に接続された輝度むら補正用抵抗と、
前記輝度むら補正用抵抗をスイッチングするスイッチと
を有することを特徴とする面照明装置。
（付記１６）
付記１４記載の面照明装置において、
前記白色ＬＥＤを個別に駆動すること
を特徴とする面照明装置。
（付記１７）
面状に分布して光を射出する光射出領域と、
前記光射出領域に光を導光する導光領域と、
前記導光領域に光を入光する入光面と、
前記入光面端部から延設されて前記導光領域内の光を反射する反射面と、
前記反射面側端部にイエロー、シアン、マゼンタの３色のＬＥＤが配置され、前記端部から４つ目以降に赤、緑、青のＬＥＤが前記入光面に沿って交互に離散的に配置されたＬＥＤモジュールと
を有することを特徴とする面照明装置。
（付記１８）
面状に分布して光を射出する光射出領域と、
前記光射出領域に光を導光する導光領域と、
前記導光領域に光を入光する入光面と、
前記入光面端部から延設されて前記導光領域内の光を反射する反射面と、
前記反射面側端部にイエロー、シアン、マゼンタの３色中の２色のＬＥＤが配置され、前記端部から３つ目には赤又は青の１色のＬＥＤが配置され、前記端部から４つ目以降に赤、緑、青のＬＥＤが前記入光面に沿って交互に離散的に配置されたＬＥＤモジュールと
を有することを特徴とする面照明装置。
（付記１９）
付記１７又は１８に記載の面照明装置において、
前記反射面側端部の前記ＬＥＤに並列に接続された色むら補正用抵抗と、
前記色むら補正用抵抗をスイッチングするスイッチと
を有することを特徴とする面照明装置。
（付記２０）
付記１７又は１８に記載の面照明装置において、
前記反射面側端部の前記ＬＥＤを個別に駆動すること
を特徴とする面照明装置。
（付記２１）
面状に分布して光を射出する光射出領域と、
前記光射出領域に光を導光する導光領域と、
前記導光領域に光を入光する入光面と、
前記入光面端部から延設されて前記導光領域内の光を反射する反射面と、
複数のＬＥＤを前記入光面に沿って交互に離散的に配置したＬＥＤモジュールと、
前記光射出領域の四隅に配置された色むら補正用ＬＥＤと
を有することを特徴とする面照明装置。
（付記２２）
付記２１記載の面照明装置において、
前記色むら補正用ＬＥＤに並列に接続された補正用抵抗を有すること
を特徴とする面照明装置。
（付記２３）
付記２１又は２２に記載の面照明装置において、
前記色むら補正用ＬＥＤを個別に駆動すること
を特徴とする面照明装置。
（付記２４）
付記１乃至２３のいずれか１項に記載の面照明装置において、
前記ＬＥＤの色配置が前記反射面両端から順に同じ色であること
を特徴とする面照明装置。
（付記２５）
付記１乃至２４のいずれか１項に記載の面照明装置において、
前記光射出領域の四隅及び中央の裏面又は表面に、輝度と色度を制御するための光センサーが配置されていること
を特徴とする面照明装置。
（付記２６）
付記１乃至２５のいずれか１項に記載の面照明装置において、
前記入光面の１側面に前記ＬＥＤモジュールを配置したこと
を特徴とする面照明装置。
（付記２７）
付記１から２６記載の面照明装置において、
前記色むら（輝度むら）補正用抵抗を外部から調整可能とするために板金又はモールドに調整穴を設けた筐体を有すること
を特徴とする面照明装置。
（付記２８）
付記１乃至２７のいずれか１項に記載の面照明装置において、
ＬＥＤ原色光の各色四隅の輝度比を揃え、且つ各色の周辺輝度比を統一することで、白色時の色むらを軽減すること
を特徴とする面照明装置。
（付記２９）
対向配置された一対の基板間に封止された液晶を備えた液晶表示装置において、
付記１乃至２８のいずれか１項に記載された面照明装置を有すること
を特徴とする液晶表示装置。
【符号の説明】
【００７４】
１  液晶表示装置
２  液晶表示パネル
３  透過型拡散板
４、５  レンズシート
６  バックライトユニット
７、８、７７  ＬＥＤ
１０、１０’  ＬＥＤセット
１１  導光板
１２  入光面
１３  反射面
１４  反射シート
１５、１５Ｌ、１５Ｒ  ＬＥＤモジュール
１６  光射出面
２０  リフレクタ
２２  反射シート
２４  散乱ドット
３０  気体空間部
４０、４１  色むら補正用抵抗
４２  第２の色むら補正用抵抗
４３  スイッチ
４３ａ  トランジスタ
５０  カラーセンサ
５９  ＬＥＤドライバ
６０  ハウジング
【図１】
2010192448.tif 000003
【図２】
2010192448.tif 000004
【図３】
2010192448.tif 000005
【図４】
2010192448.tif 000006
【図５】
2010192448.tif 000007
【図６】
2010192448.tif 000008
【図７】
2010192448.tif 000009
【図８】
2010192448.tif 000010
【図９】
2010192448.tif 000011
【図１０】
2010192448.tif 000012
【図１１】
2010192448.tif 000013
【図１２】
2010192448.tif 000014
【図１３】
2010192448.tif 000015
【図１４】
2010192448.tif 000016
【図１５】
2010192448.tif 000017
【図１６】
2010192448.tif 000018
【図１７】
2010192448.tif 000019
【図１８】
2010192448.tif 000020
【図１９】
2010192448.tif 000021
【図２０】
2010192448.tif 000022
【図２１】
2010192448.tif 000023
【図２２】
2010192448.tif 000024
【図２３】
2010192448.tif 000025
【図２４】
2010192448.tif 000026
【図２５】
2010192448.tif 000027
【図２６】
2010192448.tif 000028
【図２７】
2010192448.tif 000029
【図２８】
2010192448.tif 000030
【図２９】
2010192448.tif 000031
【図３０】
2010192448.tif 000032